(57)【要約】      （修正有）【課題】雨天時の自転車走行において、サイクリストのズボン及び靴下や靴に雨水が浸透したり、汚泥が付着するのを完全に防ぐこと、又、雨中での、着脱が容易なこと。更に、夜間走行にも安全な背面開閉式ブーツ型防水性レッグカバーの提供。【解決手段】サイクリストの膝上から爪先までを覆うブーツ型の防水性外皮と、足の裏を覆う強度の高い特殊生地及び強力なゴムバンドとを縫合一体化し、外皮の背面をオープンにし面ファスナーを使用し、外皮の背面に再帰反射テープを縫着する。【選択図】  図１
0003102944.tif 000002
【実用新案登録請求の範囲】
【請求項１】
背面の下端１６ｃｍの所から上端までをオープンにした開閉式でブーツ型の防水性外皮と足の裏を覆う強度の高い特殊生地及び強力なゴムバンドを縫合一体化しているレッグカバー。
【請求項２】
外皮の背面のオープン部分に、マジックテープを縫着しているレッグカバー。
【請求項３】
外皮の背面に、再帰反射テープを縫着しているレッグカバー。
【考案の詳細な説明】
【０００１】
【考案の属する技術分野】
本考案は、サイクリストのための防水性レッグカバーに関するものであり、詳細には、雨天時に、サイクリストのズボン及び靴下や靴に雨水が浸透したり、汚泥が付着するのを防止するための背面開閉式ブーツ型レッグカバーに関するものである。同レッグカバーは、突然の雨に対応出来る着脱の容易さや、夜間走行の安全性も兼備している。
【０００２】
【従来の技術】
雨天時に自転車に乗る時、従来、サイクリストは、単にズボンのみへの雨水の浸透や、汚泥の付着を防止するための防水性のレッグカバーを着用する。
【０００３】
【考案が解決しょうとする課題】
上記、従来のレッグカバーを着用することによって、ズボンへの雨水の浸透や、汚泥の付着は一応阻止することが出来るものの、靴下や靴への影響を考えると充分な保護機能が達成されているとは言いがたい。即ち従来のレッグカバーは、脚部は覆うようになっているが、足の裏まで覆うようになっていないので、靴下から靴の中までズブ濡れになり、不快になる。
【０００４】
従来のレッグカバーは、背面開閉式になっていないので、ズボンや履物を履いたままでの着脱が不便である。
【０００５】
従来のレッグカバーには、夜間の安全走行のための装置が無い。
【０００６】
【問題を解決するための手段】
上記問題を解決するために、背面開閉式ブーツ型防水性外皮に、足の裏の前部を覆うための強度の高い特殊生地と中央部を支える強力なゴムバンドを縫合一体化し、サイクリストの膝上から足の裏まで覆うようにしている。
【０００７】
雨中で、ズボンや履物の上から着脱が速やかに出来るよう、外皮の背面をオープンにし、マジックテープを装着し簡易開閉式にしている。
【０００８】
夜間の安全走行をはかるため、外皮の背面に再帰反射テープを縫着している。
【０００９】
【考案の実施の形態】
ブーツ型防水性外皮の背面部分を、下端１６ｃｍの所から上端までオープンにし、そこからサイクリストが、靴を履いたままで足を挿入する。その後、マジックテープでオープン部分を速やかに閉じる。膝の上下は内蔵ゴムで、足の裏は特殊生地とゴムバンドと踵の所の内蔵ゴムで、しっかり固定され、膝上から足の裏までスッポリ覆われるので、ズボンは勿論、靴下や靴への雨水の浸透や、汚泥の付着が防止される。夜間走行には、外皮の背面に縫着された再帰反射テープがサイクリストの視認性を高め、安全効果がある。
【００１０】
【実施例】
以下、図１を参照しながら、本考案の具体例を説明する。本考案に係わる自転車用背面開閉式ブーツ型防水性レッグカバーは、サイクリストの膝上部分（１）から、爪先（２）までを覆う背面開閉式ブーツ型外皮（３）と、足の裏を覆う強度の高い特殊生地（４）及び強力ゴムバンド（５）とを縫合一体化することによって、ズボンには勿論、靴下や靴への雨水の浸透や汚泥の付着を防止する構体を形成している。
【００１１】
外皮（３）の背面下端１６ｃｍの所（６）から上端（１）までをオープンにし、マジックテープ・オス（７ａ）とマジックテープ・メス（７ｂ）で開閉することによって、履物を履いたままでのスムーズな着脱が可能になる構体を形成している。
【００１２】
外皮の膝部分の上下の内蔵ゴム（８）と踵の部分の内蔵ゴム（９）の作用によって、走行中にズレたりしない、即ち安定走行出来る構体を形成している。
【００１３】
外皮の背面に再帰反射テープ（１０）を縫着することによって、夜間走行の安全がはかれる構体を形成している。
【００１４】
【考案の効果】
本考案によれば、雨天時における自転車走行において、サイクリストのズボンは勿論、靴下や靴への雨水の浸透や、汚泥の付着が完全に防止され、快適である。突然の雨でも、履物の上から簡単に着用できる。夜間走行時も、再帰反射テープの効果でサイクリストの視認が容易であり、安全である。
【図面の簡単な説明】
【図１】背面及び足の裏部分を含む全体を示した斜視側面図
【図２】本考案製品を着用した夜間雨天時における自転車走行を示した図
【符号の説明】
１      膝の上部にあたる所（上端）
２      爪先部分
３      背面開閉式ブーツ型防水性外皮
４      強度の高い特殊生地
５      強力ゴムバンド
６      背面下端から１６ｃｍのところ
７ａ    マジックテープ・オス
７ｂ    マジックテープ・メス
８      膝上下の内蔵ゴム
９      踵部分の内蔵ゴム
１０    再帰反射テープ
【図１】
0003102944.tif 000003
【図２】
0003102944.tif 000004
【手続補正書】
【提出日】平成15年7月9日(2003.7.9)
【手続補正１】
【補正対象書類名】明細書
【補正対象項目名】「請求項２」
【補正方法】変更
【補正の内容】
【請求項２】
外皮の背面オープン部分に、面ファスナーを縫着しているレッグカバー。
【手続補正２】
【補正対象書類名】明細書
【補正対象項目名】「０００７」
【補正方法】変更
【補正の内容】
【０００７】
雨中で、ズボンや履物の上から着脱が速やかに出来るよう、外皮の背面をオープンにし、面ファスナーを装着し簡易開閉式にしている。


【手続補正３】
【補正対象書類名】明細書
【補正対象項目名】「０００９」
【補正方法】変更
【補正の内容】
【０００９】
ブーツ型防水性外皮背面部分を、下端１６ｃｍの所から上端までオープンにし、そこからサイクリストが、靴を履いたままで足を挿入する。その後、面ファスナーでオープン部分を速やかに閉じる。膝の上下は内蔵ゴムで、足の裏は特殊生地とゴムバンドと踵の所の内蔵ゴムでしっかり固定され、膝上から足の裏までスッポリ覆われるので、ズボンは勿論、靴下や靴への雨水の浸透や、汚泥の付着が防止される。夜間走行には、外皮の背面に縫着された再帰反射テープがサイクリストの視認性を高め、安全効果がある。


【手続補正４】
【補正対象書類名】明細書
【補正対象項目名】「００１１」
【補正方法】変更
【補正の内容】
【００１１】
外皮（３）の背面下端１６ｃｍの所（６）から上端（１）までをオープンにし、面ファスナー・オス（７ａ）と面ファスナー・メス（７ｂ）で開閉することによって、履物を履いたままでのスムーズな着脱が可能になる構体を形成している。


【手続補正５】
【補正対象書類名】明細書
【補正対象項目名】「符号の説明」
【補正方法】変更
【補正の内容】
【符号の説明】
１        膝の上部にあたる所（上端）
２        爪先部分
３        背面開閉式ブーツ型防水性外皮
４        強度の高い特殊生地
５        強力ゴムバンド
６        背面下端から１６ｃｍのところ
７ａ      面ファスナー・オス
７ｂ      面ファスナー・メス
８        膝上下の内蔵ゴム
９        踵部分の内蔵ゴム
１０      再帰反射テープ